(57)【要約】【課題】雪をすくい集める収容部に把手部を簡単確実に連結できるようにするとともに、取り外した把手部を収容部に簡単かつコンパクトに保持できるようにし、搬送や保管にも便利なスノーボードを提供する。【解決手段】雪をすくい集める収容部２と収容部２に連結する把手部３を有しており、把手部３を収容部２に着脱可能に連結できるようにし、取り外した把手部３を収納部２に保持し、止着部材４で止着できるようにする。また、把手部３を収容部２に連結した状態で、止着部材４により把手部３を収容部２に止着可能とする。把手部３は、収容部２の上端縁部形状に対応した形状であり、把手部３を収容部２の上端縁部に沿わせて保持できる。把手部３にはグリップを兼ねた連結杆部３ｃを設けている。【選択図】図１
0003147442.tif 000002
【実用新案登録請求の範囲】
【請求項１】
雪をすくい集める収容部と、該収容部に連結する把手部を有しており、
前記把手部を前記収容部に着脱可能に連結できるように構成するとともに、
取り外した前記把手部を前記収容部に保持し、該収容部に止着部材で止着できるように構成したことを特徴とするスノーダンプ。
【請求項２】
前記把手部を前記収容部に連結した状態で、前記止着部材により前記把手部を前記収容部に止着可能としたことを特徴とする請求項１に記載のスノーダンプ。
【請求項３】
前記把手部は、前記収容部の上端縁部形状に対応した形状であり、該把手部を前記収容部の上端縁部に沿わせて保持できることを特徴とする請求項１又は２に記載のスノーダンプ。
【請求項４】
前記収容部は、上面形状が略四角形のショベル体であり、前記把手部は、前記収納部の上端縁部に沿って保持できる略四角形の枠体であることを特徴とする請求項１〜３のいずれかに記載のスノーダンプ。
【請求項５】
前記把手部にグリップを兼ねた連結杆部を設けるとともに、前記収容部に前記連結杆部の挿入部を設けたことを特徴とする請求項１〜４のいずれかに記載のスノーダンプ。
【請求項６】
前記収容部に設けられた前記連結杆部の挿入部は、前記収容部の後面部の内部側に一体形成した筒状部であることを特徴とする請求項５に記載のスノーダンプ。
【請求項７】
前記収容部の後面部側の上端縁部に、前記把手部を把持する凹部を形成するとともに、該把手部把持凹部の近傍に、前記把手部を前記凹部に止着するための前記止着部材を設けたことを特徴とする請求項１〜６のいずれかに記載のスノーダンプ。
【請求項８】
前記止着部材はバックル機構であることを特徴とする請求項１〜７のいずれかに記載のスノーダンプ。
【請求項９】
前記バックル機構は、前記枠部把持凹部を跨ぐように開閉可能に設けられたバックルと、該バックルの先端部を係入する係入片とを有しており、前記バックルを閉止することにより前記枠部把持凹部に前記把手部を挟着することを特徴とする請求項８に記載のスノーダンプ。
【考案の詳細な説明】
【技術分野】
【０００１】
本考案は、雪をすくい集めて除雪するためのスノーダンプに関するものである。
【背景技術】
【０００２】
道路、庭、屋根等に積もった雪をすくい集め、雪上を滑らして除雪するためのスノーダンプが従来から知られているが、大型なものでは除雪作業完了後やシーズンオフなどに保管場所に苦慮することが多い。
【０００３】
このため、雪をすくい集める収容部とこの収納部に連結される把手部を着脱可能な構造としたものなどが市販され、さらには特許文献１のように、把手部を途中で折り畳み可能にするとともに、正常状態にセットしたとき、この状態を保持する係止手段を設けた除雪具などが提案されている。
【０００４】
しかしながら、把手部と収容部を単に着脱可能にしただけでは、把手部と収容部を別々に保管するためのスペースが必要となり、しかも、除雪作業時に把手部が収容部から不意に離脱する危険性がある等の問題がある。また特許文献１の除雪具は、把手部が軸支部において山形状に折り畳まれるため、保管時にその出張り部分の収まりが悪いという問題、除雪作業時に軸支部や係止手段に強大な負荷が加わったときにこれらが破損する危険性があるという問題、さらには構造が複雑で高コストになるという問題等がある。
【０００５】
【特許文献１】実開昭６２−１５４０２１号公報
【考案の開示】
【考案が解決しようとする課題】
【０００６】
本考案は上述の問題を解決するために提案されたものであり、把手部を収容部に簡単確実に連結できるようにするとともに、取り外した把手部を収容部に簡単かつコンパクトに保持できるようにし、搬送や保管にも便利なスノーボードを提供することを目的とする。また本考案は、簡単な構成で安価に製造できるスノーボードを提供することを目的とする。
【課題を解決するための手段】
【０００７】
上記課題を解決するための請求項１の考案は、雪をすくい集める収容部と、該収容部に連結する把手部を有しており、
前記把手部を前記収容部に着脱可能に連結できるように構成するとともに、
取り外した前記把手部を前記収容部に保持し、該収容部に止着部材で止着できるように構成したことを特徴とする。
【０００８】
ここでは、収容部、把手部の形状は任意であり、たとえば収容部の形状は、上面から視て後述の略四角形状のほかに台形状、楕円形状のものなどがある。またこれらの連結手段も着脱可能な構成であれば任意であり、ボルト締め等の連結手段も含まれる。また取り外した把手部を収納部に保持する形態や止着部材の構成等も特に限定されるものではない。
【０００９】
また請求項２の考案は、前記把手部を前記収容部に連結した状態で、前記止着部材により前記把手部を前記収容部に止着可能としたことを特徴とする。
【００１０】
このようにすれば、把手部を収容部に連結して除雪作業をする際に、把手部が収容部から不意に離脱することを防止できる。
【００１１】
また請求項３の考案は、前記把手部は、前記収容部の上端縁部形状に対応した形状であり、該把手部を前記収容部の上端縁部に沿わせて保持できることを特徴とする。
【００１２】
このようにすれば、把手部を収容部にコンパクトに保持することができ、保管スペースも収容部とほぼ同じ広さのスペースですむ。収容部の上端縁部形状が、上述のように台形状、楕円形状であれば、把手部の形状もこれに対応した形状となることはいうまでもない。
【００１３】
また請求項４の考案は、前記収容部は、上面形状が略四角形のショベル体であり、前記把手部は、前記収納部の上端縁部に沿って保持できる略四角形の枠体であることを特徴とする。
【００１４】
収容部を上述のショベル体とすることにより、雪を大量にすくい集めることができ、搬送作業を安定して行うことができる。また把手部も簡単な形状で収容部と一体感をもたせることができ、製作も簡単安価となる。
【００１５】
また請求項５の考案は、前記把手部にグリップを兼ねた連結杆部を設けるとともに、前記収容部に前記連結杆部の挿入部を設けたことを特徴とする。
【００１６】
このようにすれば、把手部とは別に連結杆部を設けなくともよく、また連結杆部がグリップを兼ねているため把手部の構成が簡素化し簡単安価に製作できる。
【００１７】
また請求項６の考案は、前記収容部に設けられた前記連結杆部の挿入部は、前記収容部の後面部の内部側に一体形成した筒状部であることを特徴とする。
【００１８】
このようにすれば、連結杆部の挿入部が収容部と一体感があるため外観的にも良好であるばかりか、筒状部が収容部の補強部材ともなり、積載した雪を排出するときの滑動補助にもなる。
【００１９】
また請求項７の考案は、前記収容部の後面部側の上端縁部に、前記把手部を把持する凹部を形成するとともに、該把手部把持凹部の近傍に、前記把手部を前記凹部に止着するための前記止着部材を設けたことを特徴とする。
【００２０】
このようにすれば、把手部が把手部把持凹部に把持されるため、把手部を収容部に確実に保持し、止着することができる。
【００２１】
また請求項８の考案は、前記止着部材はバックル機構であることを特徴とする。バックル機構は、操作も簡単で確実に把手部を収容部に止着することができる。
【００２２】
また請求項９の考案は、前記バックル機構は、前記枠部把持凹部を跨ぐように開閉可能に設けられたバックルと、該バックルの先端部を係入する係入片とを有しており、前記バックルを閉止することにより前記枠部把持凹部に前記把手部を挟着することを特徴とする。
【００２３】
このようなバックル機構は、把手部を収容部に確実に止着することができ、また収容部の上端縁部形状を大きく変更することなく、構成も簡素である。
【考案の効果】
【００２４】
本考案のスノーボードによれば、把手部を収容部に簡単確実に連結できるようにするとともに、取り外した把手部を収容部に簡単かつコンパクトに保持でき、搬送や保管にも便利である。また、簡単な構成で安価に製造することもできる等の効果が得られる。
【考案を実施するための最良の形態】
【００２５】
以下、本考案の実施形態を添付図面に基づいて説明する。図１は本考案のスノーダンプの使用時の状態を示す斜視図、図２は把手部の保持状態を示す斜視図であり、スノーダンプ１は、雪をすくい集める収容部２と、この収容部２に着脱可能に連結される把手部３からなっている。
【００２６】
収容部２は、上面形状が略四角形に開口したショベル体であり、底面部２ａは図１ないし図３に示すように、後方部側が大きく下方に膨らんだ船底形状となっている。この底面部２ａの内面側には複数の凸状リブ２ｂが長さ方向に形成されており、これにより収容部２を補強するとともに積み込んだ雪の滑出を容易にしている。また収容部２の先端面には複数の細溝部２ｃが幅方向に形成されており、運搬途中に収容部２内の雪が滑り落ちないようにしている。
【００２７】
収容部２の後面部２ｄの内面側の両側端部には、後述する把手部３の連結杆３ｃの挿入部となる筒状部２ｅ，２ｅが収容部２と一体に形成されている。また、収容部２の後面部２ｄの上端縁部には、図４に示すように、把手部把持凹部２ｆが幅方向に形成されている。
【００２８】
この把手部把持凹部２ｆの近傍には、止着部材となるバックル機構４が複数箇所に設けられている。このバックル機構４は、図４及び図５に示すように、把手部把持凹部２ｆを間にして一方側に係入片２ｇ，２ｇが突設されており、他方側にバックル装着凹部２ｈ，２ｈが形成されている。なお、バックル装着凹部２ｈ，２ｈは、上面から視て凸段形状に形成されている。
【００２９】
バックル装着凹部２ｈ，２ｈには、バックル４ａ，４ａが把手部把持凹部２ｆを跨ぐように開閉可能に枢着されている。即ち、バックル４ａ，４ａは、全体が内方に湾曲した形状のプレートであり、先端部には前記係入片２ｇ，２ｇと係入する係入孔４ｂ，４ｂが形成されている。また後端側には軸架部４ｃ，４ｃが軸着されており、この軸架部４ｃ，４ｃがバックル挿着凹部２ｈ，２ｈに枢着されている。
【００３０】
一方、把手部３は図６に示すように全体が略四角形の枠体であり、収容部２の上端縁部の形状と対応した形状となっている。把手部４の長さ方向枠杆３ａ，３ａは、後端側がわずかに内方に屈曲して外側に延長しており、その幅狭部に幅方向枠杆３ｂが固定されている。この長さ方向枠体３ａ，３ａの延長部が収容部２との連結杆部３ｃ，３ｃとなる。また、連結杆部３ｃ，３ｃはグリップも兼ねており、ここではグリップカバーが被着されている。
【００３１】
なお、収容部２、把手部３、バックル機構４等は、ポリエチレン樹脂、ＡＢＳ樹脂、スチール等の剛性、耐衝撃性等に優れた材料を選択して使用することができる。
【００３２】
次に上述のスノーダンプ１の使用例を説明する。まずスノーダンプ１を除雪に使用するときは、バックル機構４，４のバックル４ａ，４ａを開いた状態で図１に示すように収容部２の筒状部２ｅ、２ｅに把手部３の連結杆部３ｃ，３ｃを挿入し、幅方向枠杆３ｂを収容部後面部２ｂの把手部把持凹部２ｆに保持するとともに、バックル４ａ，４ａを閉じて係入孔４ｂ，４ｂを係止片２ｇ，２ｇに係止する。
【００３３】
これにより収容部筒状部２ｅ，２ｅと把手部連結杆部３ｃ，３ｃが堅く連結されるとともに、把手部幅方向枠杆３ｂがバックル４ａ，４ａによって把手部把持凹部２ｆに押圧されて止着されることになる。このようにして把手部３を収容部２に連結したのち、把手部３を持って収容部２を滑らせながら除雪作業を行う。
【００３４】
またスノーダンプ１を使用しないときは、バックル機構４，４のバックル４ａ，４ａの先端部を強く引き上げて係入孔４ｂ，４ｂを係止片２ｇ，２ｇから取り外し、バックル４ａ，４ａを開いて把手部３の連結杆部３ｃ，３ｃを収容部２の筒状部２ｅ，２ｅから引き抜く。
【００３５】
つぎに、取り外した把手部３を図２に示すように収容部２の上端縁部に沿って載置するとともに，幅方向枠杆３ｂを把手部把持凹部２ｆに保持させ、上述のようにバックル機構４，４のバックル４ａ，４ａを閉じ、幅方向枠杆３ｂを把手部把持凹部２ｆに止着する。この状態で、把手部３の連結杆部３ｃ，３ｃは、収容部２の後面部２ｄの外側に突出することになり、その連結杆部３ｃ，３ｃを握ってスノーダンプ１を保管場所まで搬送することができる。
【００３６】
上述した実施態様は、本考案の一例を示したものであり、たとえば収容部２の上面形状を台形状、楕円形状等の形状とすることができ、それに応じて把手部３の形状を変更することができる。またバックル機構４に代えてネジ止め、フック止め等の他の止着部材を採用することもできる。
【図面の簡単な説明】
【００３７】
【図１】本考案のスノーダンプの使用時の状態を示す斜視図である。
【図２】同じく未使用時の状態を示す上面方向からの斜視図である。
【図３】同じく未使用時の状態を示す底面方向からの斜視図である。
【図４】同じくバックル機構のバックルを開いた状態の斜視図である。
【図５】同じくバックル機構のバックルを閉じた状態の斜視図である。
【図６】同じく把手部の斜視図である。
【符号の説明】
【００３８】
１はスノーダンプ
２は収容部
２ａは底面部
２ｄは後面部
２ｅは筒状部
２ｆは把手部把持凹部
２ｇは係止片
２ｈはバックル装着凹部
３は把手部
３ａは長さ方向枠杆
３ｂは幅方向枠杆
３ｃは連結杆部
４はバックル機構
４ａはバックル
４ｂは係入孔
４ｃは軸架部
【図１】
0003147442.tif 000003
【図２】
0003147442.tif 000004
【図３】
0003147442.tif 000005
【図４】
0003147442.tif 000006
【図５】
0003147442.tif 000007
【図６】
0003147442.tif 000008
【手続補正書】
【提出日】平成20年10月24日(2008.10.24)
【手続補正１】
【補正対象書類名】実用新案登録請求の範囲
【補正対象項目名】全文
【補正方法】変更
【補正の内容】
【実用新案登録請求の範囲】
【請求項１】
雪をすくい集める収容部と、該収容部に連結する把手部を有しており、
前記把手部を前記収容部に着脱可能に連結できるように構成するとともに、
取り外した前記把手部を前記収容部に保持し、該収容部に止着部材で止着できるように構成したことを特徴とする除雪具。
【請求項２】
前記把手部を前記収容部に連結した状態で、前記止着部材により前記把手部を前記収容部に止着可能としたことを特徴とする請求項１に記載の除雪具。
【請求項３】
前記把手部は、前記収容部の上端縁部形状に対応した形状であり、該把手部を前記収容部の上端縁部に沿わせて保持できることを特徴とする請求項１又は２に記載の除雪具。
【請求項４】
前記収容部は、上面形状が略四角形のショベル体であり、前記把手部は、前記収納部の上端縁部に沿って保持できる略四角形の枠体であることを特徴とする請求項１〜３のいずれかに記載の除雪具。
【請求項５】
前記把手部にグリップを兼ねた連結杆部を設けるとともに、前記収容部に前記連結杆部の挿入部を設けたことを特徴とする請求項１〜４のいずれかに記載の除雪具。
【請求項６】
前記収容部に設けられた前記連結杆部の挿入部は、前記収容部の後面部の内部側に一体形成した筒状部であることを特徴とする請求項５に記載の除雪具。
【請求項７】
前記収容部の後面部側の上端縁部に、前記把手部を把持する凹部を形成するとともに、該把手部把持凹部の近傍に、前記把手部を前記凹部に止着するための前記止着部材を設けたことを特徴とする請求項１〜６のいずれかに記載の除雪具。
【請求項８】
前記止着部材はバックル機構であることを特徴とする請求項１〜７のいずれかに記載の除雪具。
【請求項９】
前記バックル機構は、前記枠部把持凹部を跨ぐように開閉可能に設けられたバックルと、該バックルの先端部を係入する係入片とを有しており、前記バックルを閉止することにより前記枠部把持凹部に前記把手部を挟着することを特徴とする請求項８に記載の除雪具。
【手続補正２】
【補正対象書類名】明細書
【補正対象項目名】全文
【補正方法】変更
【補正の内容】
【考案の詳細な説明】
【技術分野】
【０００１】
本考案は、雪をすくい集めて除雪するための除雪具に関するものである。
【背景技術】
【０００２】
道路、庭、屋根等に積もった雪をすくい集め、雪上を滑らして除雪するための除雪具が従来から知られているが、大型なものでは除雪作業完了後やシーズンオフなどに保管場所に苦慮することが多い。
【０００３】
このため、雪をすくい集める収容部とこの収納部に連結される把手部を着脱可能な構造としたものなどが市販され、さらには特許文献１のように、把手部を途中で折り畳み可能にするとともに、正常状態にセットしたとき、この状態を保持する係止手段を設けた除雪具などが提案されている。
【０００４】
しかしながら、把手部と収容部を単に着脱可能にしただけでは、把手部と収容部を別々に保管するためのスペースが必要となり、しかも、除雪作業時に把手部が収容部から不意に離脱する危険性がある等の問題がある。また特許文献１の除雪具は、把手部が軸支部において山形状に折り畳まれるため、保管時にその出張り部分の収まりが悪いという問題、除雪作業時に軸支部や係止手段に強大な負荷が加わったときにこれらが破損する危険性があるという問題、さらには構造が複雑で高コストになるという問題等がある。
【０００５】
【特許文献１】実開昭６２−１５４０２１号公報
【考案の開示】
【考案が解決しようとする課題】
【０００６】
本考案は上述の問題を解決するために提案されたものであり、把手部を収容部に簡単確実に連結できるようにするとともに、取り外した把手部を収容部に簡単かつコンパクトに保持できるようにし、搬送や保管にも便利な除雪具を提供することを目的とする。また本考案は、簡単な構成で安価に製造できる除雪具を提供することを目的とする。
【課題を解決するための手段】
【０００７】
上記課題を解決するための請求項１の考案は、雪をすくい集める収容部と、該収容部に連結する把手部を有しており、
前記把手部を前記収容部に着脱可能に連結できるように構成するとともに、
取り外した前記把手部を前記収容部に保持し、該収容部に止着部材で止着できるように構成したことを特徴とする。
【０００８】
ここでは、収容部、把手部の形状は任意であり、たとえば収容部の形状は、上面から視て後述の略四角形状のほかに台形状、楕円形状のものなどがある。またこれらの連結手段も着脱可能な構成であれば任意であり、ボルト締め等の連結手段も含まれる。また取り外した把手部を収納部に保持する形態や止着部材の構成等も特に限定されるものではない。
【０００９】
また請求項２の考案は、前記把手部を前記収容部に連結した状態で、前記止着部材により前記把手部を前記収容部に止着可能としたことを特徴とする。
【００１０】
このようにすれば、把手部を収容部に連結して除雪作業をする際に、把手部が収容部から不意に離脱することを防止できる。
【００１１】
また請求項３の考案は、前記把手部は、前記収容部の上端縁部形状に対応した形状であり、該把手部を前記収容部の上端縁部に沿わせて保持できることを特徴とする。
【００１２】
このようにすれば、把手部を収容部にコンパクトに保持することができ、保管スペースも収容部とほぼ同じ広さのスペースですむ。収容部の上端縁部形状が、上述のように台形状、楕円形状であれば、把手部の形状もこれに対応した形状となることはいうまでもない。
【００１３】
また請求項４の考案は、前記収容部は、上面形状が略四角形のショベル体であり、前記把手部は、前記収納部の上端縁部に沿って保持できる略四角形の枠体であることを特徴とする。
【００１４】
収容部を上述のショベル体とすることにより、雪を大量にすくい集めることができ、搬送作業を安定して行うことができる。また把手部も簡単な形状で収容部と一体感をもたせることができ、製作も簡単安価となる。
【００１５】
また請求項５の考案は、前記把手部にグリップを兼ねた連結杆部を設けるとともに、前記収容部に前記連結杆部の挿入部を設けたことを特徴とする。
【００１６】
このようにすれば、把手部とは別に連結杆部を設けなくともよく、また連結杆部がグリップを兼ねているため把手部の構成が簡素化し簡単安価に製作できる。
【００１７】
また請求項６の考案は、前記収容部に設けられた前記連結杆部の挿入部は、前記収容部の後面部の内部側に一体形成した筒状部であることを特徴とする。
【００１８】
このようにすれば、連結杆部の挿入部が収容部と一体感があるため外観的にも良好であるばかりか、筒状部が収容部の補強部材ともなり、積載した雪を排出するときの滑動補助にもなる。
【００１９】
また請求項７の考案は、前記収容部の後面部側の上端縁部に、前記把手部を把持する凹部を形成するとともに、該把手部把持凹部の近傍に、前記把手部を前記凹部に止着するための前記止着部材を設けたことを特徴とする。
【００２０】
このようにすれば、把手部が把手部把持凹部に把持されるため、把手部を収容部に確実に保持し、止着することができる。
【００２１】
また請求項８の考案は、前記止着部材はバックル機構であることを特徴とする。バックル機構は、操作も簡単で確実に把手部を収容部に止着することができる。
【００２２】
また請求項９の考案は、前記バックル機構は、前記枠部把持凹部を跨ぐように開閉可能に設けられたバックルと、該バックルの先端部を係入する係入片とを有しており、前記バックルを閉止することにより前記枠部把持凹部に前記把手部を挟着することを特徴とする。
【００２３】
このようなバックル機構は、把手部を収容部に確実に止着することができ、また収容部の上端縁部形状を大きく変更することなく、構成も簡素である。
【考案の効果】
【００２４】
本考案の除雪具によれば、把手部を収容部に簡単確実に連結できるようにするとともに、取り外した把手部を収容部に簡単かつコンパクトに保持でき、搬送や保管にも便利である。また、簡単な構成で安価に製造することもできる等の効果が得られる。
【考案を実施するための最良の形態】
【００２５】
以下、本考案の実施形態を添付図面に基づいて説明する。図１は本考案の除雪具の使用時の状態を示す斜視図、図２は把手部の保持状態を示す斜視図であり、除雪具１は、雪をすくい集める収容部２と、この収容部２に着脱可能に連結される把手部３からなっている。
【００２６】
収容部２は、上面形状が略四角形に開口したショベル体であり、底面部２ａは図１ないし図３に示すように、後方部側が大きく下方に膨らんだ船底形状となっている。この底面部２ａの内面側には複数の凸状リブ２ｂが長さ方向に形成されており、これにより収容部２を補強するとともに積み込んだ雪の滑出を容易にしている。また収容部２の先端面には複数の細溝部２ｃが幅方向に形成されており、運搬途中に収容部２内の雪が滑り落ちないようにしている。
【００２７】
収容部２の後面部２ｄの内面側の両側端部には、後述する把手部３の連結杆３ｃの挿入部となる筒状部２ｅ，２ｅが収容部２と一体に形成されている。また、収容部２の後面部２ｄの上端縁部には、図４に示すように、把手部把持凹部２ｆが幅方向に形成されている。
【００２８】
この把手部把持凹部２ｆの近傍には、止着部材となるバックル機構４が複数箇所に設けられている。このバックル機構４は、図４及び図５に示すように、把手部把持凹部２ｆを間にして一方側に係入片２ｇ，２ｇが突設されており、他方側にバックル装着凹部２ｈ，２ｈが形成されている。なお、バックル装着凹部２ｈ，２ｈは、上面から視て凸段形状に形成されている。
【００２９】
バックル装着凹部２ｈ，２ｈには、バックル４ａ，４ａが把手部把持凹部２ｆを跨ぐように開閉可能に枢着されている。即ち、バックル４ａ，４ａは、全体が内方に湾曲した形状のプレートであり、先端部には前記係入片２ｇ，２ｇと係入する係入孔４ｂ，４ｂが形成されている。また後端側には軸架部４ｃ，４ｃが軸着されており、この軸架部４ｃ，４ｃがバックル挿着凹部２ｈ，２ｈに枢着されている。
【００３０】
一方、把手部３は図６に示すように全体が略四角形の枠体であり、収容部２の上端縁部の形状と対応した形状となっている。把手部４の長さ方向枠杆３ａ，３ａは、後端側がわずかに内方に屈曲して外側に延長しており、その幅狭部に幅方向枠杆３ｂが固定されている。この長さ方向枠体３ａ，３ａの延長部が収容部２との連結杆部３ｃ，３ｃとなる。また、連結杆部３ｃ，３ｃはグリップも兼ねており、ここではグリップカバーが被着されている。
【００３１】
なお、収容部２、把手部３、バックル機構４等は、ポリエチレン樹脂、ＡＢＳ樹脂、スチール等の剛性、耐衝撃性等に優れた材料を選択して使用することができる。
【００３２】
次に上述の除雪具１の使用例を説明する。まず除雪具１を除雪に使用するときは、バックル機構４，４のバックル４ａ，４ａを開いた状態で図１に示すように収容部２の筒状部２ｅ、２ｅに把手部３の連結杆部３ｃ，３ｃを挿入し、幅方向枠杆３ｂを収容部後面部２ｂの把手部把持凹部２ｆに保持するとともに、バックル４ａ，４ａを閉じて係入孔４ｂ，４ｂを係止片２ｇ，２ｇに係止する。
【００３３】
これにより収容部筒状部２ｅ，２ｅと把手部連結杆部３ｃ，３ｃが堅く連結されるとともに、把手部幅方向枠杆３ｂがバックル４ａ，４ａによって把手部把持凹部２ｆに押圧されて止着されることになる。このようにして把手部３を収容部２に連結したのち、把手部３を持って収容部２を滑らせながら除雪作業を行う。
【００３４】
また除雪具１を使用しないときは、バックル機構４，４のバックル４ａ，４ａの先端部を強く引き上げて係入孔４ｂ，４ｂを係止片２ｇ，２ｇから取り外し、バックル４ａ，４ａを開いて把手部３の連結杆部３ｃ，３ｃを収容部２の筒状部２ｅ，２ｅから引き抜く。
【００３５】
つぎに、取り外した把手部３を図２に示すように収容部２の上端縁部に沿って載置するとともに，幅方向枠杆３ｂを把手部把持凹部２ｆに保持させ、上述のようにバックル機構４，４のバックル４ａ，４ａを閉じ、幅方向枠杆３ｂを把手部把持凹部２ｆに止着する。この状態で、把手部３の連結杆部３ｃ，３ｃは、収容部２の後面部２ｄの外側に突出することになり、その連結杆部３ｃ，３ｃを握って除雪具１を保管場所まで搬送することができる。
【００３６】
上述した実施態様は、本考案の一例を示したものであり、たとえば収容部２の上面形状を台形状、楕円形状等の形状とすることができ、それに応じて把手部３の形状を変更することができる。またバックル機構４に代えてネジ止め、フック止め等の他の止着部材を採用することもできる。
【図面の簡単な説明】
【００３７】
【図１】本考案の除雪具の使用時の状態を示す斜視図である。
【図２】同じく未使用時の状態を示す上面方向からの斜視図である。
【図３】同じく未使用時の状態を示す底面方向からの斜視図である。
【図４】同じくバックル機構のバックルを開いた状態の斜視図である。
【図５】同じくバックル機構のバックルを閉じた状態の斜視図である。
【図６】同じく把手部の斜視図である。
【符号の説明】
【００３８】
１は除雪具
２は収容部
２ａは底面部
２ｄは後面部
２ｅは筒状部
２ｆは把手部把持凹部
２ｇは係止片
２ｈはバックル装着凹部
３は把手部
３ａは長さ方向枠杆
３ｂは幅方向枠杆
３ｃは連結杆部
４はバックル機構
４ａはバックル
４ｂは係入孔
４ｃは軸架部